(57)【要約】【課題】  内部に情報を印刷した封筒を容易に作製可能で、かつ内部印刷情報の控えを簡単に作製することができる封筒作製用シートを提供する。【解決手段】  本発明に係る封筒作製用シート５０では、印字用シートに印刷を行い、当該印字用シートの一部を基材シートから剥ぎ取って残存したシートを折り曲げるという簡単な作業により、個人に配布するための封筒と、会社用の控えとを一度に得ることが可能となる。また、基材シートには第３のマイクロミシン目７５が形成されているので、封筒を開封後にこの第３のマイクロミシン目７５に沿って基材シートの一部を切り離すことができる。これにより、開封後の封筒から不要部分を簡単に除去することができ、例えば納品書を保管する場合に好都合となる。【選択図】図１７
2007168412.tif 000002
【特許請求の範囲】
【請求項１】
プリンタにより印刷可能かつ二つ折り可能であって、一方の面の周縁部に粘着性領域が形成された基材シートと、プリンタにより印刷可能で、かつ切れ目によって第１および第２の２つの領域に切り離し可能とされた印字用シートとからなり、前記基材シートの一方の面に前記印字用シートを重ね合わせて構成された封筒作製用シートであって、
前記基材シートの前記第２の領域と対応する部分の周縁部以外は非粘着性領域とされているとともに、前記印字用シートの第２の領域の内少なくとも前記粘着性領域と対応する部分には、前記第２の領域を前記基材シートから剥離可能とする剥離層が形成されており、
前記第２の領域を前記切れ目により第１の領域と切り離して前記基材シートから剥離することで露出させた粘着性領域を前記印字用シートの第１の領域に折り重ね可能とし、
前記基材シートおよび印字用シートには、前記切れ目に沿った折り返し線により前記基材シートを印字用シートの第１の領域に折り重ねた場合の周縁部に沿って、前記粘着性領域よりも内側に位置する切断可能線が形成されており、
当該切断可能線は、前記周縁部の内、前記折り返し線およびその両側に位置する計３辺に沿って形成されていると共に、前記基材シートが前記印字用シートに折り重ねられた領域において、この基材シートの前記３辺を除く残りの１辺には、前記粘着性領域が重ねられる領域よりも内側に位置する切断可能線が形成されていることを特徴とする封筒作製用シート。
【請求項２】
前記基材シートの一方の面または他方の面における前記印字用シートの第２の領域と対応する部分、もしくは前記他方の全面の少なくとも一箇所には、地紋が形成されていることを特徴とする請求項１に記載の封筒作製用シート。
【請求項３】
前記基材シートの内、前記印字用シートの第１の領域と対応する部分には、前記切れ目に沿った部分を除いた３辺に前記粘着性領域が形成され、その他の部分が非粘着性領域とされていることを特徴とする請求項１または２に記載の封筒作製用シート。
【発明の詳細な説明】
【技術分野】
【０００１】  本発明は、封筒作製用シートに関し、詳細には、給与袋等の封筒あるいは納品書等を収容した封筒を作製するための封筒作製用シートに関する。
【背景技術】
【０００２】  従来、個人に手渡される給与明細の通知書は、一枚の用紙に印刷した給与明細書を封筒に収容した状態で配布するのが一般的である。このような形態のものは、給与明細書を封筒に収容する際に、明細書と封筒の氏名が間違わないように慎重に確認が必要であり、手間がかかっていた。給与明細書の氏名記載部分を視認可能な窓部分を備えた専用の封筒を利用する方法も考えられるが、その場合は専用封筒の準備にコストがかかるという問題があった。また、給与明細書の会社側の控えも別途印刷しなければならず、手間がかかるという問題があった。
【特許文献１】    実用新案登録第３０８４７８２号
【発明の開示】
【発明が解決しようとする課題】
【０００３】  本発明は、上記課題を解決するためになされたものであり、内部に情報を印刷した封筒を容易に作製可能で、かつ内部印刷情報の控えを簡単に作製することができる封筒作製用シートを提供することを目的とする。
【課題を解決するための手段】
【０００４】  上記目的を達成するために、請求項１に記載の封筒作製用シートは、プリンタにより印刷可能かつ二つ折り可能であって、一方の面の周縁部に粘着性領域が形成された基材シートと、プリンタにより印刷可能で、かつ切れ目によって第１および第２の２つの領域に切り離し可能とされた印字用シートとからなり、前記基材シートの一方の面に前記印字用シートを重ね合わせて構成された封筒作製用シートであって、前記基材シートの前記第２の領域と対応する部分の周縁部以外は非粘着性領域とされているとともに、前記印字用シートの第２の領域の内少なくとも前記粘着性領域と対応する部分には、前記第２の領域を前記基材シートから剥離可能とする剥離層が形成されており、前記第２の領域を前記切れ目により第１の領域と切り離して前記基材シートから剥離することで露出させた粘着性領域を前記印字用シートの第１の領域に折り重ね可能とし、前記基材シートおよび印字用シートには、前記切れ目に沿った折り返し線により前記基材シートを印字用シートの第１の領域に折り重ねた場合の周縁部に沿って、前記粘着性領域よりも内側に位置する切断可能線が形成されており、当該切断可能線は、前記周縁部の内、前記折り返し線およびその両側に位置する計３辺に沿って形成されていると共に、前記基材シートが前記印字用シートに折り重ねられた領域において、この基材シートの前記３辺を除く残りの１辺には、前記粘着性領域が重ねられる領域よりも内側に位置する切断可能線が形成されていることを特徴とする構成となっている。【０００５】  また、請求項２に記載の封筒作製用シートでは、請求項１に記載の封筒作製用シートの構成に加え、前記基材シートの一方の面または他方の面における前記印字用シートの第２の領域と対応する部分、もしくは前記他方の全面の少なくとも一箇所には、地紋が形成されていることを特徴とする。【０００６】  また、請求項３に記載の封筒作製用シートでは、請求項１または２に記載の封筒作製用シートの構成に加え、前記基材シートの内、前記印字用シートの第１の領域と対応する部分には、前記切れ目に沿った部分を除いた３辺に前記粘着性領域が形成され、その他の部分が非粘着性領域とされていることを特徴とする。
【発明の効果】
【０００７】  請求項１に係る発明の封筒作製用シートでは、１枚の封筒作製用シートから、内部に情報が印刷された封筒と、所望の情報が印刷されて分離された控え紙片とを同時に作製することができる。具体的に本発明の封筒作製用シートの使用方法について説明すると、まず、封筒作製用シートに例えば氏名等の個人情報と給与明細とをプリンタにて印刷する。次に、印字用シートの第２の領域を切れ目によって第１の領域と切り離して基材シートから引き剥がす。これにより、基材シートから分離された印字用シートの第２の領域、即ち一方の給与明細は会社側の控えとできる。一方、基材シートの内、印字用シートの第２の領域で剥がされた部分は、粘着性領域が露出した状態となっているので、印字用シートの切れ目に沿って粘着性領域が印字用シートの第１の領域と向き合うように基材シートを折り曲げ、粘着性領域を印字用シートの第１の領域を覆うように重ね合わせることにより、両者を接着できる。従って、１枚のシートに印刷を行い、印字用シートを引き剥がして残りを折り曲げるという簡単な作業により、表示情報が封印されて個人へ配布できる形態の封筒と控え紙片とを同時に作製することができる。【０００８】  また、基材シートおよび印字用シートには、切れ目に沿った折り返し線により基材シートを印字用シートの第１の領域に折り重ねた場合の周縁部に沿って、粘着性領域よりも内側に位置する切断可能線が形成されているので、この切断可能線に沿って基材シートおよび印字用シートを切断することで、封筒を簡単に開封することができる。【０００９】  さらに、この切断可能線が、基材シートおよび印字用シートの周縁部の内、折り返し線およびその両側に位置する計３辺に沿って形成されていると共に、基材シートが印字用シートに折り重ねられた領域において、この基材シートの３辺を除く残りの１辺には粘着性領域が重ねられる領域よりも内側に位置する切断可能線が形成されている。従って、基材シートに形成された切断可能線によって印刷部分を他の不要な部分から切り離すことができるので、保管したい場合に好都合となる。【００１０】  また、請求項２に係る発明の封筒作製用シートでは、基材シートの一方の面または他方の面における印字用シートの第２の領域と対応する部分、もしくは基材シートの他方の全面の少なくとも一箇所には地紋が形成されているので、印字用シートの第１の領域に印刷された情報が外部から見られるのを確実に防止することができる。【００１１】  また、請求項３に係る発明の封筒作製用シートでは、基材シートの内、印字用シートの第１の領域と対応する部分には、切れ目に沿った部分を除いた３辺に粘着性領域が形成され、その他の部分が非粘着性領域とされている。これにより、基材シートと印字用シートの第１の領域とが重ね合わされている部分は、切れ目に沿った辺を除いた３つの周縁部だけが接着され、その他の部分は接着されていない状態となるので、袋状の収納部として利用することができる。
【発明を実施するための最良の形態】
【００１２】  以下、本発明を具体化した封筒作製用シートの第１の実施形態について図を参照して説明する。尚、本実施形態では、給与封筒に本発明の封筒作製用シートを使用した例を示す。本実施形態の封筒作製用シート１は、Ａ４版の大きさで、図３に示すように、基材シート１０と印字用シート２０とが重ね合わされて構成されている。基材シート１０は、例えば紙製とすることができ、図１に示すように、一方の面の４辺に沿う周縁部に、幅約２ｃｍの粘着性領域１１が形成されている。この粘着性領域１１は、例えば、基材シート１０の片面に前面的に粘着剤を塗付して粘着性領域を形成した後に、この粘着性領域の内、周縁部幅２ｃｍを除いた内側領域に、平板用のＵＶ硬化型の色付きインクを平板印刷によって印刷することで形成することができる。全面的に形成した粘着性領域の内、周縁部を除いた内側領域に粘着性阻害物質に相当する平板用インクが印刷されることにより、その内側の粘着性が失われ、周縁部だけが粘着性を維持した状態となる。【００１３】  また、基材シート１０の左右の二長辺に沿って、これら各長辺の端縁から約２．５ｃｍだけ内側に入った位置には、基材シート１０の両端部を中央側の領域から切り離すための２本の第１のマイクロミシン目１３が形成されている。また、基材シートの長辺の長さ方向の中央より図１中やや下方には、短辺方向と平行でかつ該短辺の全長に延びた折り目１４がミシン目によって形成されており、この折り目１４により基材シート１０を粘着性領域１１が内側となるように折り曲げ可能となっている。さらに、この折り目１４に沿って、上下両側に１ｃｍ離れた位置に、２本の第２のマイクロミシン目１５が、短辺方向と平行でかつ該短辺の全長に延びるように形成されている。【００１４】  一方、印字用シート２０も、例えばプリンタによって印刷可能な紙製であり、図２及び３に示すように、基材シート１０と重ね合わせた際に、基材シート１０に形成された折り目１４に対応する位置に、ハーフカットの切れ目２４が形成されている。そして、この切れ目２４により、印字用シート２０は第１の領域２１および第２の領域２２の２つの領域に区分され、当該各領域は互いに分離可能とされている。また、印字用シート２０の第１の領域２１の内、基材シート１０の第１および第２のマイクロミシン目に対応する位置に、同じく第１および第２のマイクロミシン目２３，２５が上述のマイクロミシン目と重なるように形成されている。さらに、印字用シート２０の第２の領域２２の基材シート１０に向き合う面側には、粘着剤によって粘着した状態でもそこから容易に剥離可能な剥離層２６が形成されており、印字用シート２０を基材シート１０に重ねた状態から、印字用シート２０の第２の領域２２を基材シート１０から引き剥がし可能となっている（図７および８参照）。【００１５】  また、基材シート１０の内、印字用シート２０の第２の領域２２と対応する部分であって、かつ印字用シート２０と対向する面（図中手前側の面）には、全面的に地紋３０が印刷されている。この地紋３０は、後述するように封筒作製用シート１を折り重ねた後に、印字用シート２０の第１の領域２１に印刷された情報を外部から視認不可能にするためのも���である。ここで、地紋３０を形成する位置はここに限定されず、例えば、基材シート１０の内、印字用シート２０の第２の領域２２と対応する部分であって、かつ印字用シート２０と対向する面とは裏面（図中向こう側に隠れた面）に全面的に地紋を印刷してもよいし、またこの基材シート１０の裏面に全面的に地紋を印刷してもよい。【００１６】  次に、上述した本実施形態の封筒作製用シート１の使用方法について説明する。封筒作製用シート１を使用する場合は、図４に示すように、まず印字用シート２０の第１の領域２１および第２の領域２２の２箇所に、それぞれ個人の給与明細書をプリンタによって印刷する。第１の領域２１は、給与の受取人のための領域であり、第２の領域２２は給与の支払者（会社）側のための領域である。尚、折り目１４が基材シート１０の縦方向の中央よりも下方寄りに形成されていることにより、印字用シート２０の第１の領域２１は第２の領域２２よりも大きくなり、折り目１４で折って二重に折り重ねると、第１の領域２１の一部が折り重なり部分から余剰部２１Ａとしてはみ出ることになる。これにより、その余剰部２１Ａに「給与明細書」と記載した標題部を印字することができるようになっている。【００１７】  印刷された封筒作製用シート１によって給与封筒を作製するには、まず印字用シート２０の第２の領域２２の例えば角部を基材シート１０からつまみ上げ、切れ目２４に沿って第１の領域２１から切り離しつつ基材シート１０から引き剥がす（図５、図９参照）。引き剥がされた第２の領域２２は、会社側の給与明細書の控えとして保管されることになる。基材シート１０は、この第２の領域２２が引き剥がされたことにより、その粘着性領域１１の一部が露出される。【００１８】  また、図示しないが、このとき、基材シート１０と印字用シート２０の第１の領域２１とは、３つの周縁部が粘着性領域によって閉じられている一方、折り目１４に沿った部分は開いた状態とされているため、袋状の収納部として利用することもできる。即ち、例えば住民税額の通知書等の書類や給与等、給与明細書に同封するものがある場合には、この収納部に収容することができる。【００１９】  次に、図６及び図１０に示すように、基材シート１０を露出された粘着性領域１１が内側となるように折り目１４に沿って折り曲げ、粘着性領域１１を印字用シート２０の第１の領域２１に重ね合わせると共に押し付けることにより、基材シート１０と印字用シート２０とを接着させる。これにより、印字用シート２０の第１の領域２１に印刷された個人情報は外部から見えないように保護される。また、印字用シート２０の第１の領域２１の上端部付近に印刷された部署や氏名等は、外部から目視可能である。【００２０】  また、以上説明したような封筒作製用シート１によって作製された封筒を開封する場合には、まず、封筒の３つの周縁部を第１のマイクロミシン目１３および第２のマイクロミシン目１５に沿って他の領域から切り離せばよい（図１１〜１３参照）。【００２１】  以上説明したように、本実施形態の封筒作製用シートでは、１枚のシートに印刷を行い、印字用シートの一部を基材シートから剥ぎ取って残存したシートを折り曲げるという簡単な作業によ���、個人に配布するための封筒と、会社用の控えとを一度に得ることが可能となる。【００２２】  次に、本発明の第２の実施形態について、図１４〜１７を参照して説明する。尚、上記実施形態と同様の部分についての説明は省略する。本実施形態の封筒作製用シート５０も、上記実施形態のシートと同様に、基材シート１０と印字用シート２０とが重ね合わされて構成されたＡ４版のシートである。本実施形態の封筒作製用シート５０では、基材シート１０にさらに第３のマイクロミシン目７５が形成されており、この点で上記実施形態と異なっている。【００２３】  図１４に示すように、封筒作製用シート５０では、基材シート１０の内、印字用シート２０の第２の領域２２と対応する部分において、粘着性領域１１の内側（粘着性領域１１が形成されていない側）約０．５ｍｍの位置に第３のミシン目７５が形成されている。第３のマイクロミシン目７５は、短辺と平行に延びており、かつ短辺の全長に渡って形成されている。尚、第３のマイクロミシン目７５は、このように短辺の全長に延びて形成されていてもよいし、左右の第１のマイクロミシン目１３に挟まれた中央部分にのみ形成されていてもよい。【００２４】  以上のような構造の封筒作製用シートを使用する場合には、例えば、印字用シート２０の第１の領域２１に納品書の内容を、第２の領域２２には例えば売上伝票の内容をプリンタによって印刷する。印字用シート２０の第２の領域２２に印刷した売上伝票は、封筒として閉じる前に基材シート１０から引き剥がして控えとすることができる。図１５に示すように、売上伝票２２を剥がした後、露出された粘着性領域１１が内側となるように折り目１４に沿って折り曲げ、粘着性領域を印字用シート２０の第１の領域２１に重ね合わせて接着させる。このとき、例えば営業日案内等の同封すべき他の書類がある場合には、印字用シート２０の第１の領域２１と基材シート１０との間に挿入することができる。【００２５】  そして、封筒を開封する際は、図１６に示すように、封筒の３つの周縁部を第１のマイクロミシン目１３，２３及び第２のマイクロミシン目１５，２５に沿って他の領域から切り離す。これにより、基材シート１０に覆われた印字用シート２０の第１の領域２１に印刷された情報（納品書）を見ることができる。さらに、図１７に示すように、第３のマイクロミシン目７５により基材シート１０の一部を他の部分から切り離すことにより、不要部分が除去され、納品書には基材シート１０がごく僅かに残留した状態となる。従って、本実施形態では、開封後の封筒から不要部分を簡単に除去することができ、納品書を保管する場合に好都合となる。
【図面の簡単な説明】
【００２６】
【図１】  基材シート１０の平面図である。
【図２】  印字用シート２０の平面図である。
【図３】  封筒作製用シート１の分解平面図である。
【図４】  印字用シート２０に印刷を行った状態を示す平面図である。
【図５】  基材シート１０から印字用シート２０の第２の領域２２を剥がした状態を示す平面図である。
【図６】  封筒作製用シート１により封筒が完成した状態を示す平面図である。
【図７】  封筒作製用シート１の使用工程を示す断面図である。
【図８】  封筒作製用シート１の使用工程を示す断面図である。
【図９】  封筒作製用シート１の使用工程を示す断面図である。
【図１０】  封筒作製用シート１の使用工程を示す断面図である。
【図１１】  封筒作製用シート１により作製された封筒の開封工程を示す斜視図である。
【図１２】  封筒作製用シート１により作製された封筒の開封工程を示す断面図である。
【図１３】  封筒作製用シート１により作製された封筒の開封工程を示す断面図である。
【図１４】  本発明の第２の実施形態の封筒作製用シート５０の分解平面図である。
【図１５】  封筒作製用シート５０において、基材シート１０から印字用シート２０の第２の領域２２を剥がした状態を示す平面図である。
【図１６】  封筒作製用シート５０により作製された封筒の開封工程を示す斜視図である。
【図１７】  封筒作製用シート５０により作製された封筒を開封した後の基材シート１０切り離し工程を示す斜視図である。
【符号の説明】
【００２７】      １    封筒作製用シート
１０    基材シート
１３    第１のマイクロミシン目（切断可能線）
１４    折り目
１５    第２のマイクロミシン目（切断可能線）
２０    印字用シート
２１    第１の領域
２２    第２の領域
２３    第１のマイクロミシン目（切断可能線）
２４    切れ目
２５    第２のマイクロミシン目（切断可能線）
２６    剥離層
５０    封筒作製用シート
７５    第３のマイクロミシン目（切断可能線）
【図１】
2007168412.tif 000003
【図２】
2007168412.tif 000004
【図３】
2007168412.tif 000005
【図４】
2007168412.tif 000006
【図５】
2007168412.tif 000007
【図６】
2007168412.tif 000008
【図７】
2007168412.tif 000009
【図８】
2007168412.tif 000010
【図９】
2007168412.tif 000011
【図１０】
2007168412.tif 000012
【図１１】
2007168412.tif 000013
【図１２】
2007168412.tif 000014
【図１３】
2007168412.tif 000015
【図１４】
2007168412.tif 000016
【図１５】
2007168412.tif 000017
【図１６】
2007168412.tif 000018
【図１７】
2007168412.tif 000019